(57)【要約】【課題】チューブ容器を使用した包装体であって、酸素バリア性、水蒸気バリア性、遮光性などの各種性質を十分に付与することのできる包装体を提供すること。【解決手段】包装袋２と、この包装袋に収容されたチューブ容器１とで包装体を構成し、前記チューブ容器が筒状胴部１１の一端に頭部１２を有して、この頭部の先端を開口部とするものであり、かつ、この開口部に前記包装袋をシールして閉塞する。包装袋として前記各種性質を有するものを使用すれば、包装体に十分にこれら性質を付与することができる。【選択図】図１
2016179854.tif 000002
【特許請求の範囲】
【請求項１】
包装袋と、この包装袋に収容されたチューブ容器とで構成される包装体であって、
前記チューブ容器が筒状胴部の一端に頭部を有し、この頭部の先端を開口部とするものであり、かつ、この開口部に前記包装袋がシールされて閉塞されていることを特徴とする包装体。
【請求項２】
前記包装袋が酸素バリア性を有することを特徴とする請求項１に記載の包装体。
【請求項３】
前記包装袋が水蒸気バリア性を有することを特徴とする請求項１又は２に記載の包装体。
【請求項４】
前記包装袋が遮光性を有することを特徴とする請求項１〜３のいずれかに記載の包装体。
【請求項５】
前記チューブ容器の開口部に前記包装袋が剥離容易にシールされていることを特徴とする請求項１〜４のいずれかに記載の包装体。
【発明の詳細な説明】
【技術分野】
【０００１】
本発明は、チューブ容器を使用した包装体に関する。
【背景技術】
【０００２】
チューブ容器は、筒状の胴部の一端に頭部を備えて構成されるものである。内容物は主に筒状胴部の内部に収容されており、この筒状胴部に外力を加えることにより、頭部先端の開口部から押出される。
【０００３】
チューブ容器は、ブローチューブ容器とラミネートチューブ容器および押出しチューブ容器の３つに大別できる。ブローチューブ容器は、加熱された熱可塑性樹脂による筒状のパリソンを金型で挟んで、内部にエアーを吹き込んで胴部と頭部とを同時に成形したものである。そして、頭部と反対側の端部を切断することにより内容物充填口を形成し、この充填口から内容物を充填した後、充填口をシールして密封する。このため、ブローチューブ容器では、その筒状胴部と頭部とは一体に成形される。
【０００４】
一方、ラミネートチューブ容器は、積層シートを筒状に丸め、両端を互いに接着して形成された筒状胴部と別部材等により形成した頭部とで構成したものである。すなわち、筒状胴部と頭部とは別個に製造され、その後、両者を接合して製造する。頭部は、プラスチックや金属箔を有するシート（「メンコ」と呼ばれる）をプレス成形して製造したり、あるいは射出成形によって製造される（特許文献１）。
【０００５】
図２は代表的なラミネートチューブ容器を示すもので、図２（ａ）は正面図、図２（ｂ）は縦断面図である。なお、これらの図面においては、説明の便宜のため、内容物充填口を開いた状態で示している。
【０００６】
これらの図から分かるように、ラミネートチューブ容器１は、筒状胴部１１と頭部１２とをそれぞれ別個に製造し、両者を接合して製造されたものである。筒状胴部１１は積層シートを筒状に丸め、両端を互いにシールして製造されたものであり、図２（ａ）において、１１ａはその背貼りシール部を示している。また、頭部１２は、開口部を有する口頸部１２１と、この口頸部１２１から漸次拡径する肩部１２２とで構成されており、この肩部１２２の下端が筒状胴部１１の一端に接合されている。
【０００７】
ところで、内容物によっては、酸素や水分を嫌うものがある。例えば、これら酸素又は水分によって変質するものである。また、光によって変質し易い内容物もある。当然のことながら、これらの内容物を収容するチューブ容器には、内容物の性質に応じて、酸素バリア性、水蒸気バリア性、あるいは遮光性が求められる。
【０００８】
チューブ容器にこれらの性質を付与するためには、これらの性質を有する熱可塑性樹脂を使用してブローチューブ容器を製造すればよい。しかし、高い酸素バリア性や水蒸気バリア性を有する熱可塑性樹脂は存在せず、このため、十分なバリア性を付与することはできなかった。また、ブローチューブ容器に遮光性を付与することは困難である。
【０００９】
また、筒状胴部１１にこれらの性質を有する積層シートを使用したラミネートチューブ容器では、ある程度の酸素バリア性、水蒸気バリア性、あるいは遮光性を付与することができる。しかしながら、頭部１２にこれらの性質を付与することは困難であり、接合部にこれらの性質を付与することは一層困難である。このため、ラミネートチューブにおいても、十分にこれらの性質を付与することはできなかった。
【先行技術文献】
【特許文献】
【００１０】
【特許文献１】特開２０１４−１２５２５５号公報
【発明の概要】
【発明が解決しようとする課題】
【００１１】
そこで、本発明は、チューブ容器を使用した包装体であって、酸素バリア性、水蒸気バリア性、遮光性などの各種性質を十分に付与することのできる包装体を提供することを目的とする。
【課題を解決するための手段】
【００１２】
すなわち、請求項１に記載の発明は、包装袋と、この包装袋に収容されたチューブ容器とで構成される包装体であって、
前記チューブ容器が筒状胴部の一端に頭部を有し、この頭部の先端を開口部とするものであり、かつ、この開口部に前記包装袋がシールされて閉塞されていることを特徴とする包装体である。
【００１３】
次に、請求項２に記載の発明は、前記包装袋が酸素バリア性を有することを特徴とする請求項１に記載の包装体である。
【００１４】
また、請求項３に記載の発明は、前記包装袋が水蒸気バリア性を有することを特徴とする請求項１又は２に記載の包装体である。
【００１５】
また、請求項４に記載の発明は、前記包装袋が遮光性を有することを特徴とする請求項１〜３のいずれかに記載の包装体である。
【００１６】
また、請求項５に記載の発明は、前記チューブ容器の開口部に前記包装袋が剥離容易にシールされていることを特徴とする請求項１〜４のいずれかに記載の包装体である。
【発明の効果】
【００１７】
本発明によれば、チューブ容器が包装袋に収容され、しかも、チューブ容器の開口部に包装袋がシールされて閉塞されているから、この包装袋として前記各種性質を有するものを使用すれば、十分にこれら性質を付与することができる。
【００１８】
また、チューブ容器の開口部に包装袋がシールされているから、この包装袋を破き、次に、開口部から包装袋を剥離すれば、従来のチューブ容器と同様に、その開口部から内容物を押出すことができる。
【図面の簡単な説明】
【００１９】
【図１】図１は本発明の包装体の説明用正面図である。
【図２】図２は代表的なチューブ容器の例を示すもので、図２（ａ）はその正面図、図２（ｂ）は縦断面図である。
【発明を実施するための形態】
【００２０】
本発明の包装体は、包装袋とチューブ容器とを必須の構成要素とするものである。図１に示すように、チューブ容器１は包装袋２の内部に収容されている必要がある。
【００２１】
包装袋２は、３方シール袋、４方シール袋、ガゼット袋、ピロー袋、スタンディングパウチ等、任意の形態の袋であってよいが、チューブ容器１を収容して密封していることが
望ましい。そして、こうして密封された包装袋２の開封の便宜のため、包装袋２には、ノッチ、開封用テープ等が設けられていることが望ましい。図１はノッチ２ａを設けた例である。また、剥離容易にシールされた包装袋であってもよい。
【００２２】
この包装袋２は、内容物の性質に応じて、酸素バリア性、水蒸気バリア性、あるいは遮光性を有することが望ましい。このような包装袋２は、それぞれの性質を有するシートを使用して構成することができる。例えば、アルミニウム箔等の金属箔を層構成中に有する積層シートを使用して包装袋２を製造すれば、この包装袋２は、酸素バリア性、水蒸気バリア性及び遮光性のすべての性質を有している。また、アルミニウム蒸着膜等の金属蒸着膜を有する積層シートを使用して包装袋２を製造した場合にも、酸素バリア性、水蒸気バリア性及び遮光性のすべての性質を有している。一方、酸化ケイ素や酸化アルミニウム等の透明蒸着膜を有する積層シートを使用して包装袋２を製造した場合には、酸素バリア性と水蒸気バリア性を有している。また、ポリビニルアルコール又はエチレン−ビニルアルコール共重合体の層を有する積層シートを使用して包装袋２を製造した場合には、酸素バリア性を有している。
【００２３】
次に、チューブ容器１はブローチューブ容器、押出しチューブ容器あるいはラミネートチューブ容器のいずれであってもよい。いずれの場合でも、筒状の胴部１１の一端に頭部１２を有し、この頭部１２の先端を開口部とするものである。そして、この開口部に前記包装袋２がシールされて閉塞されている必要がある。図１において、ｘはこのシール部を示している。このシール部ｘにおいては、チューブ容器１と包装袋２とが、互いに剥離容易にシールされていることが望ましい。例えば、３０Ｎ以下のシール強度である。
【００２４】
このように剥離容易にシールするためには、包装袋２の内表面を易剥離性のヒートシール層で構成すればよい。例えば、ポリエチレンにポリブテン−１を混合して、海島構造としたヒートシール層である。
【００２５】
この包装体は次のように製造することができる。すなわち、まず、積層シートを使用して包装袋を製造する。積層シートとしては、例えば、ポリエチレンテレフタレートフィルムを外層とし、中間層として、金属箔、蒸着フィルム、エチレン−ビニルアルコール共重合体フィルム等、各種フィルムを積層すると共に、内層としてヒートシール層を積層したものが使用できる。
【００２６】
次に、チューブ容器１の充填口からに内容物を充填した後、この充填口をシールして密封する。図１において、１３はシールされた充填口を示している。
【００２７】
そして、このチューブ容器１を包装袋２に収容し、チューブ容器１の開口部に包装袋２の内表面を押し当て、ヒートシールすればよい。
【００２８】
なお、こうしてチューブ容器１を包装袋２に収容した後、包装袋２の内部を脱気して、密封することが望ましい。脱気して密封することにより、包装袋２の内部に酸素や水蒸気が存在しない状態となるため、内容物の変質をより確実に防止することができる。
【００２９】
そして、この包装体は、まず、包装袋２を破り、次にチューブ容器１の開口部から包装袋２を剥離して開口部を露出させ、チューブ容器１の胴部を外側から押圧することにより、内容物を開口部から押し出すことができる。
【００３０】
このように、この包装体は、包装袋２を破って使用することから、一回の使用で使い切ってしまう量の内容物を収容したものであることが望ましい。すなわち、使い捨てである。もっとも、チューブ容器１の口頸部１２１に螺着するキャップを別添することにより、
一旦開封して内容物の一部を使用した後、このキャップを装着して再封することも可能である。キャップはチューブ容器１と共に包装袋２の内部に収容しておくこともできる。あるいは、包装袋２の外側から、包装袋２を挟んで、チューブ容器１の口頸部１２１に螺着しておくことも可能である。
【符号の説明】
【００３１】
１：チューブ容器
１１：筒状胴部    
１１ａ：胴部接着部
１２：頭部    
１２１：口頸部    
１２２：肩部
１３：シールされた内容物充填口
２：包装袋    
２ａ：ノッチ
ｘ：シール部
【図１】
2016179854.tif 000003
【図２】
2016179854.tif 000004